【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
１又は複数の情報処理装置と通信可能な画像形成装置であって、
前記情報処理装置からの所定の通信を検知する検知手段と、
前記検知手段が前記所定の通信を検知しない場合には、前記画像形成装置の使用状況に応じて前記画像形成装置の電源をオフする第１電源オフモードを選択し、前記検知手段が前記所定の通信を検知した場合には、前記情報処理装置との通信状況に応じて前記画像形成装置の電源をオフする第２電源オフモードを選択する選択手段と、
前記選択手段により選択された電源オフモードに応じて、前記画像形成装置の電源をオフするように制御する制御手段と、
を有することを特徴とする画像形成装置。
【請求項２】
前記制御手段は、前記第１電源オフモードが選択されている場合には、前記画像形成装置が使用されない状態が一定時間続いた場合に前記画像形成装置の電源をオフし、また、前記第２電源オフモードが選択されている場合には、前記情報処理装置から前記所定の通信が検知されなくなった場合に前記画像形成装置の電源をオフすることを特徴とする請求項１に記載の画像形成装置。
【請求項３】
前記制御手段は、前記第２電源オフモードが選択されている場合には、前記複数の情報処理装置から前記所定の通信が検知されなくなった場合に前記画像形成装置の電源をオフすることを特徴とする請求項２に記載の画像形成装置。
【請求項４】
前記制御手段は、前記第２電源オフモードが選択されてから一定時間経過した場合、前記所定の通信が検知されている情報処理装置に対して問い合わせを行い、前記情報処理装置から電源オフを許可する返信を得た場合に、前記画像形成装置の電源をオフすることを特徴とする請求項２又は３に記載の画像形成装置。
【請求項５】
前記選択手段は、前記画像形成装置が起動されてから前記検知手段が前記情報処理装置から前記所定の通信を検知するまでは、前記第１電源オフモードを選択し、前記検知手段が前記情報処理装置から前記所定の通信を検知した後には、前記第２電源オフモードを選択することを特徴とする請求項１乃至４の何れか１項に記載の画像形成装置。
【請求項６】
前記情報処理装置は、前記画像形成装置にジョブを投入した情報処理装置、前記画像形成装置に状態変化を通知した情報処理装置、又は、前記画像形成装置が備える所定のキーに登録された情報処理装置であることを特徴とする請求項１乃至５の何れか１項に記載の画像形成装置。
【請求項７】
前記選択手段は、前記検知手段が所定台数の情報処理装置から前記所定の通信を検知する前は、前記第１電源オフモードを選択し、前記検知手段が前記所定台数の情報処理装置からの前記所定の通信を検知した後は、前記第２電源オフモードを選択するものであり、
前記制御手段は、前記第２電源オフモードが選択されている場合には、前記通信を受信している情報処理装置が所定台数より少なくなった場合に、前記画像形成装置の電源をオフすることを特徴とする請求項１乃至６の何れか1項に記載の画像形成装置。
【請求項８】
前記制御手段は、前記第２電源オフモードが選択されている状態で前記画像形成装置の電源をオフする場合には、前記所定の通信を検知している情報処理装置に対して問い合わせを行い、前記情報処理装置から電源オフを許可する返信を得た場合に、前記画像形成装置の電源をオフすることを特徴とする請求項１乃至７の何れか１項に記載の画像形成装置。
【請求項９】
前記所定の通信は、前記情報処理装置で実行されている前記画像形成装置を使用するためのプログラムにより定期的に行われる前記画像形成装置へのポーリングパケットの送信であることを特徴とする請求項１乃至８のいずれか１項に記載の画像形成装置。
【請求項１０】
前記プログラムは、前記画像形成装置を用いて原稿の読み取りを実行するためのプログラムであることを特徴とする請求項９に記載の画像形成装置。
【請求項１１】
１又は複数の情報処理装置と通信可能な画像形成装置の制御方法であって、
前記情報処理装置からの所定の通信を検知する検知ステップと、
前記所定の通信を検知しない場合、前記画像形成装置の使用状況に応じて前記画像形成装置の電源をオフする第１電源オフモードを選択し、前記検知ステップで前記所定の通信を検知した場合には、前記情報処理装置との通信状況に応じて前記画像形成装置の電源をオフする第２電源オフモードを選択する選択ステップと、
前記選択ステップで選択された電源オフモードに応じて、前記画像形成装置の電源をオフするように制御する制御ステップと、
を有することを特徴とする画像形成装置の制御方法。
【請求項１２】
コンピュータを、請求項１乃至１０のいずれか１項に記載された手段として機能させるためのプログラム。
【手続補正２】
【補正対象書類名】明細書
【補正対象項目名】０００８
【補正方法】変更
【補正の内容】
【０００８】
本発明は、１又は複数の情報処理装置と通信可能な画像形成装置であって、前記情報処理装置からの所定の通信を検知する検知手段と、前記検知手段が前記所定の通信を検知しない場合には、前記画像形成装置の使用状況に応じて前記画像形成装置の電源をオフする第１電源オフモードを選択し、前記検知手段が前記所定の通信を検知した場合には、前記情報処理装置との通信状況に応じて前記画像形成装置の電源をオフする第２電源オフモードを選択する選択手段と、前記選択手段により選択された電源オフモードに応じて、前記画像形成装置の電源をオフするように制御する制御手段とを有することを特徴とする。
【手続補正３】
【補正対象書類名】明細書
【補正対象項目名】００２０
【補正方法】変更
【補正の内容】
【００２０】
ＣＰＵ１０１は、読取部Ｉ／Ｆ１０５より入力された画像信号を処理し、記録画像信号として印刷部Ｉ／Ｆ１０４へ出力する。ＣＰＵ１０１は、ＲＯＭ１０３のフォント領域に記憶されたフォント情報を用いて、操作部Ｉ／Ｆ１０６を介して操作部１１５の表示部に文字や記号を表示したり、ユーザの指示を受けた操作部１１５からの指示情報を受けたりする。
【手続補正４】
【補正対象書類名】明細書
【補正対象項目名】００３４
【補正方法】変更
【補正の内容】
【００３４】
通信部４００１は、ネットワークＩ／Ｆ４００９を介してホストＰＣ２００から送信されるポーリングパケットを受け取る。
【手続補正５】
【補正対象書類名】明細書
【補正対象項目名】００３６
【補正方法】変更
【補正の内容】
【００３６】
使用状況判定部４００４は、ＭＦＰ１００がユーザに使われていない状態が一定時間続いた場合に、通知を電源供給停止実行部４００５に対して行う。即ち、一定時間以上、操作部１１５からの操作（読取部１１４への原稿セット等の操作も含む）や、ネットワークＩ／Ｆ１０９やＵＳＢ Ｉ／Ｆ１０８からのジョブ入力がなかった場合、通知を電源供給停止実行部４００５に対して行う。
【手続補正６】
【補正対象書類名】明細書
【補正対象項目名】０１０１
【補正方法】変更
【補正の内容】
【０１０１】
以上示したように、本発明のＭＦＰは、従来のＭＦＰように自身からＰＣに対して状態
を問い合わせるものではなく、ＰＣからのポーリングを監視するものである。このため、本発明のＭＦＰでは、監視するＰＣを限定し必要最低限に抑えることができる（監視対象が不特定多数ではない）。また、ＰＣからのポーリングを監視するまでは、監視無しに待機することができ、本発明のＭＦＰではＰＣ監視の処理で使用する電力を従来より抑えることができる。